(57)【要約】【課題】２つのディスプレイ間での視線移動を少なくすること。【解決手段】情報表示装置は、記憶性表示素子を有する第１の表示体と、前記第１の表示体よりも書き換え速度が速い第２の表示体と、画像データにより示される画像を前記第１の表示体上のある位置に表示させる第１の表示制御手段と、前記第２の表示体において、操作者の操作に応じた画像を、前記第１の表示体に表示される画像の位置に基づいて定められる位置に表示させる第２の表示制御手段を有する。【選択図】図１
2009110101.tif 000002
【特許請求の範囲】
【請求項１】
記憶性表示素子を有する第１の表示体と、
前記第１の表示体よりも書き換え速度が速い第２の表示体と、
画像データにより示される画像を前記第１の表示体上に表示させる第１の表示制御手段と、
前記第２の表示体において、操作者の操作に応じた画像を、前記第１の表示体に表示される画像の位置に基づいて定められる位置に表示させる第２の表示制御手段と
を有する情報表示装置。
【請求項２】
前記第２の表示体が、前記第１の表示体の周縁の少なくとも一部に沿って設けられ、
前記第１の表示体の周縁と密接する前記第２の表示体の周縁との間隔が、前記第２の表示体の前記密接する周縁に直交する方向における前記第２の表示体の長さの１／２よりも狭い
ことを特徴とする請求項１に記載の情報表示装置。
【請求項３】
前記第２の表示体が、前記第１の表示体の周縁の少なくとも一部に沿って設けられ、
前記第１の表示体の周縁と密接する前記第２の表示体の周縁との間隔が、前記第１の表示体に画像として表示される文字の大きさよりも狭い
ことを特徴とする請求項１に記載の情報表示装置。
【請求項４】
前記第１の表示体の形状が四角形であり、
前記第２の表示体が、前記四角形の一辺に沿って設けられる
ことを特徴とする請求項２または３に記載の情報表示装置。
【請求項５】
前記第１の表示体が、書き換えの際にはあらかじめ決められた方向である走査方向に沿って順次書き換えられる表示体であり、
前記一辺が、前記走査方向に平行な辺である
ことを特徴とする請求項４に記載の情報表示装置。
【請求項６】
前記第１の表示体に表示される画像を示すデータを、複数の要素に区分して記憶する記憶手段と、
前記操作者の操作に応じた画像を表示すべき位置を、前記操作者の操作に応じて、前記複数の要素のいずれかに対応する位置に決定する位置決定手段と
を有し、
前記第２の表示制御手段が、前記位置決定手段によって決定された位置に、前記操作者の操作に応じた画像を表示させる
ことを特徴とする請求項１−５のいずれかの項に記載の情報表示装置。
【請求項７】
前記第２の表示体の少なくとも一部が、前記第１の表示体に重なるように設けられた透過型の表示体である
ことを特徴とする請求項１に記載の情報表示装置。
【請求項８】
前記第２の表示体の面積が前記第１の表示体の面積よりも大きく、かつ、前記第１の表示体の全部が前記第２の表示体と重なるように設けられた
ことを特徴とする請求項７に記載の情報表示装置。
【請求項９】
前記第２の表示体が、前記第１の表示体の周縁の少なくとも一部に沿って設けられた
ことを特徴とする請求項７に記載の情報表示装置。
【請求項１０】
記憶性表示素子を有する第１の表示体と、前記第１の表示体のよりも書き換え速度が速い第２の表示体と、前記第１の表示体に表示される画像を示すデータを複数の要素に区分して記憶する記憶手段とを有する情報表示装置に、
前記記憶手段に記憶されたデータに応じた画像を前記第１の表示体に表示させるステップと、
操作者の操作に応じた画像を表示すべき位置を、前記操作者の操作に応じて、前記複数の要素のいずれかに対応する位置に決定するステップと、
前記第２の表示体において、操作者の操作に応じた画像を、前記決定された位置に表示させるステップと
を実行させるプログラム。
【発明の詳細な説明】
【技術分野】
【０００１】
本発明は、２つの表示体を有する情報表示装置において情報を表示する技術に関する。
【背景技術】
【０００２】
コレステリック液晶ディスプレイや電気泳動ディスプレイ（Electrophoretic Display、以下「ＥＰＤ」という）等、記憶性表示素子を有する表示体（以下、「記憶性表示体」という）は、表示を保持するのに電力を必要としないという特長を有している。しかし一般的に記憶性表示素体には、表示の書き換えにかかる時間が長いという問題がある。このため、例えば、ユーザの入力に応じた画面を表示するユーザインターフェースにおいて、レスポンスが遅いという問題がある。このような問題を解決するため、記憶性表示体以外の表示体を用いたサブディスプレイを設けることが知られている（特許文献１）。
【０００３】
【特許文献１】特開２００４−１０２６６１号公報
【発明の開示】
【発明が解決しようとする課題】
【０００４】
特許文献１に記載の技術によっても、ユーザは２つの異なるディスプレイを見ながら操作をする必要があった。具体的には、ユーザは操作に応じた画像がどのタイミングでどのディスプレイに表示されるかということを操作の際に意識する必要があった。さらには、２つのディスプレイに表示される画像を見るためにはディスプレイ間での視線移動が必要であり、これにより直感的な操作が損ねられ、また疲労も増すという問題があった。
これに対し本発明は、２つのディスプレイ間での視線移動を少なくする技術を提供する。
【課題を解決するための手段】
【０００５】
上述の課題を解決するため、本発明は、記憶性表示素子を有する第１の表示体と、前記第１の表示体よりも書き換え速度が速い第２の表示体と、画像データにより示される画像を前記第１の表示体上に表示させる第１の表示制御手段と、前記第２の表示体において、操作者の操作に応じた画像を、前記第１の表示体に表示される画像の位置に基づいて定められる位置に表示させる第２の表示制御手段を有する情報表示装置を提供する。
この情報表示装置によれば、操作者の操作に応じた画像は第１の表示体の画像データに基づいて定められる位置に表示される。
【０００６】
好ましい態様において、前記第２の表示体が、前記第１の表示体の周縁の少なくとも一部に沿って設けられ、前記第１の表示体の周縁と密接する前記第２の表示体の周縁との間隔が、前記第２の表示体の前記密接する周縁に直交する方向における前記第２の表示体の長さの１／２よりも狭くてもよい。
この情報表示装置によれば、第１の表示体と第２の表示体とは密接して配置される。
【０００７】
別の好ましい態様において、前記第２の表示体が、前記第１の表示体の周縁の少なくとも一部に沿って設けられ、前記第１の表示体の周縁と密接する前記第２の表示体の周縁との間隔が、前記第１の表示体に画像として表示される文字の大きさよりも狭くてもよい。
この情報表示装置によれば、第１の表示体と第２の表示体とは密接して配置される。
【０００８】
別の好ましい態様において、前記第１の表示体の形状が四角形であり、前記第２の表示体が、前記四角形の一辺に沿って設けられてもよい。
この情報表示装置によれば、第２の表示体は第１の表示体の一辺に沿って密接して配置される。
【０００９】
さらに別の好ましい態様において、前記第１の表示体が、書き換えの際にはあらかじめ決められた方向である走査方向に沿って順次書き換えられる表示体であり、前記一辺が、前記走査方向に平行な辺であってもよい。
この情報表示装置によれば、第２の表示体は走査方向に平行な一辺に沿って密接して配置される。
【００１０】
さらに別の好ましい態様において、この情報表示装置は、前記第１の表示体に表示される画像を示すデータを、複数の要素に区分して記憶する記憶手段と、前記操作者の操作に応じた画像を表示すべき位置を、前記操作者の操作に応じて、前記複数の要素のいずれかに対応する位置に決定する位置決定手段とを有し、前記第２の表示制御手段が、前記位置決定手段によって決定された位置に、前記操作者の操作に応じた画像を表示させてもよい。
この情報表示装置によれば、操作者の操作に応じた画像は、複数の要素のいずれかに対応する位置に表示される。
【００１１】
さらに別の好ましい態様において、前記第２の表示体の少なくとも一部が、前記第１の表示体に重なるように設けられた透過型の表示体であってもよい。
この情報表示装置によれば、第１の表示体と第２の表示体とは重なるように密接して配置される。
【００１２】
さらに別の好ましい態様において、前記第２の表示体の面積が前記第１の表示体の面積よりも大きく、かつ、前記第１の表示体の全部が前記第２の表示体と重なるように設けられてもよい。
この情報表示装置によれば、第１の表示体と第２の表示体とは、第１の表示体の全部が第２の表示体と重なるように密接して配置される。
【００１３】
さらに別の好ましい態様において、前記第２の表示体が、前記第１の表示体の周縁の少なくとも一部に沿って設けられてもよい。
この情報表示装置によれば、第１の表示体と第２の表示体とは、前記第２の表示体が、前記第１の表示体の周縁の少なくとも一部に沿って密接して配置される。
【００１４】
また、本発明は、記憶性表示素子を有する第１の表示体と、前記第１の表示体のよりも書き換え速度が速い第２の表示体と、前記第１の表示体に表示される画像を示すデータを複数の要素に区分して記憶する記憶手段とを有する情報表示装置に、前記記憶手段に記憶されたデータに応じた画像を前記第１の表示体に表示させるステップと、操作者の操作に応じた画像を表示すべき位置を、前記操作者の操作に応じて、前記複数の要素のいずれかに対応する位置に決定するステップと、前記第２の表示体において、操作者の操作に応じた画像を、前記決定された位置に表示させるステップとを実行させるプログラムを提供する。
このプログラムによれば、操作者の操作に応じた画像は第１の表示体の画像データに基づいて定められる位置に表示される。
【発明を実施するための最良の形態】
【００１５】
１．構成
図１は、本発明の一実施形態に係る情報表示装置１の機能構成を示す図である。メイン表示体１１（第１の表示体）は、記憶性表示素子を有する。ここで「記憶性」とは電力を供給しなくてもある時間は表示を維持できる特性をいう。メイン画像記憶部１２は画像データを記憶する。メイン表示制御部１３は、メイン画像記憶部１２に記憶されたデータに従って画像を表示するように、メイン表示体１１を制御する。以下、メイン表示体１１に表示される画像を「メイン画像」という。サブ表示体１４は、記憶性表示素子以外の表示素子を有する。サブ画像記憶部１５は画像データを記憶する。サブ表示制御部１６は、サブ画像記憶部１５に記憶されたデータに従って画像を表示するように、サブ表示体１４を制御する。
【００１６】
この例でメイン画像記憶部１２は、メイン画像を示すデータを、複数の要素に区分して記憶する。位置決定部１７は、操作者の操作に応じた画像を表示すべき位置を、操作者の操作に応じて、複数の要素のいずれかに対応する位置に決定する。サブ表示制御部１６は、こうして決定された位置に、操作者の操作に応じた画像を表示させるようにサブ表示体１４を制御する。
【００１７】
図２は、情報表示装置１のハードウェア構成を示す図である。ＣＰＵ（Central Processing Unit）１０１は、情報表示装置１の構成要素を制御する制御装置である。ＲＯＭ（Read Only Memory）１０２は、情報表示装置１の起動に必要なプログラムやデータを記憶する不揮発性の記憶装置である。ＲＡＭ（Random Access Memory）１０３は、ＣＰＵ１０１がプログラムを実行する際のワークエリアとして機能する記憶装置である。ＶＲＡＭ（Video Random Access Memory）１０４は、メイン画像およびサブ画像を示す画像データを記憶する記憶装置である。ＶＲＡＭ１０４は、メイン画像およびサブ画像の記憶領域を有しており、メイン画像およびサブ画像はそれぞれ対応する記憶領域に記憶される。以下、ＶＲＡＭ１０４においてメイン画像に対応する記憶領域を「メイン記憶領域」といい、サブ画像に対応する記憶領域を「サブ記憶領域」という。Ｉ／Ｏ（Input/Output）１０５は、データや信号の入出力を管理するインターフェースである。ＵＩボタン群１０６は、ユーザの操作に応じた信号を出力する装置、例えば、ボタン（書き換えボタンやページ送りボタン、決定ボタンなど）・キーパッド・タッチパネル・ペンデバイスなどの入力装置である。ＵＩボタン群１０６はＩ／Ｏ１０５に接続されており、ＵＩボタン群１０６はから出力された信号はＩ／Ｏ１０５を介してＣＰＵ１０１に入力される。
【００１８】
補助記憶装置１１５は、メイン画像となるコンテンツ・サブ画像となる属性データ・その他のデータを記憶する不揮発性の記憶装置、例えばハードディスクドライブやフラッシュメモリである。「コンテンツ」とは、メイン表示体１０７に画像として表示される情報、例えば文書である。「文書」とは文字および画像の少なくとも一方を含む情報をいう。具体的に、補助記憶装置１１５は、あるコンテンツについて、ある単位、例えばページ毎にそのページに対応する属性、例えばコメントを記憶している。このように補助記憶装置１１５は、少なくとも１単位の情報を含むコンテンツと、そのコンテンツに含まれる情報のうちある単位に対応する属性を記憶している。コンテンツの単位は、例えば、ページ・見開きページ・ページよりも小さい形式的な単位（例えばカラム）・ページとは独立した意味上の集合（例えば段落）などである。属性は、例えば、コメント・作成日・作成者・タイトル・ファイルサイズなどである。
【００１９】
メイン表示体１０７は、記憶性表示素子を有する表示体、例えばコレステリック液晶ディスプレイやＥＰＤである。メイン表示制御部１０８は、メイン表示体１０７の描画制御を行う信号を出力する装置である。以下、必要に応じてメイン表示体１０７とメイン表示制御部１０８をあわせて「メインディスプレイ」という。サブ表示体１０９は、記憶性表示素子以外の表示素子を有する表示体、例えば超ねじれネマチック液晶ディスプレイ（Super Twisted Nematic Liquid Crystal Display、ＳＴＮ−ＬＣＤ）である。サブ表示体１０９の表示書き換え速度は、メイン表示体１０７よりも速い。サブ表示制御部１１０は、サブ表示体１０９の描画制御を行う信号を出力する装置である。以下、必要に応じてサブ表示体１０９とサブ表示制御部１１０をあわせて「サブディスプレイ」という。電源オン・オフ回路１１１は、メイン表示制御部１０８およびサブ表示制御部１１０への電力の供給を行ったり停止したりする回路である。以下、ある構成要素に電力を供給することを「電源をオンする」と、電力の供給を停止することを「電源をオフする」という。電源制御部１１２は、情報表示装置１の電源管理を行う装置である。具体的には、電源制御部１１２は、電源オン・オフ回路１１１を制御してメイン表示制御部１０８およびサブ表示制御部１１０の電源をオンまたはオフする。また、電源制御部１１２は、電池１１３の残量を監視する。電池１１３は、メイン表示制御部１０８・サブ表示制御部１１０・ＣＰＵ１０１・ＲＡＭ１０３など、情報表示装置１の構成要素に電力を供給する。バス１１４は、構成要素間での信号の伝送に用いられる伝送路である。
【００２０】
ＲＯＭ１０２は、以下で説明する処理を行う制御プログラムを記憶している。ＣＰＵ１０１がこの制御プログラムを実行することにより、図１に示される機能が情報表示装置１に実装される。
【００２１】
図３は、情報表示装置１の外観を示す図である。この例で、サブ表示体１０９の表示面の面積は、メイン表示体１０７の表示面の面積よりも小さい（以下、「サブ表示体１０９の表示面」を単に「サブ表示体１０９」という。メイン表示体１０７についても同様である）。メイン表示体１０７の形状は四角形であり、サブ表示体１０９は、その四角形の周縁の一部である一辺（図３では左辺）に沿って、メイン表示体１０７に密接して設けられている。ここで、メイン表示体１０７とサブ表示体１０９とが「密接している」とは、メイン表示体１０７とサブ表示体１０９との間隔ｄが、視覚的連続性を保てるほどに短いことをいう。例えば、間隔ｄは、サブ表示体１０９の幅ｗを基準として定められる長さ（例えば、幅ｗの１／２、１／３、１０％または１％以下など）であって、サブ表示体１０９の幅ｗに対して短い、あるいは十分短い長さである。ここで、サブ表示体１０９の「幅」とは、メイン表示体１０７の周縁のうちサブ表示体１０９と密接している部分（ここではメイン表示体１０７の左辺）に直交する方向の長さをいう。あるいは、間隔ｄは、メイン画像として表示される文字列の文字の大きさ（フォントサイズ）を基準として定められる長さ（フォントサイズの１／２、１／３、１０％または１％以下など）であって、フォントサイズに対して短い、あるいは十分短い長さである。
【００２２】
図４は、メイン表示体１０７とサブ表示体１０９との位置関係を説明する図である。メイン表示体１０７およびサブ表示体１０９の周辺には、それぞれメイン表示制御部１０８およびサブ表示制御部１１０が設けられている。メイン表示体１０７およびサブ表示体１０９は、マトリクス状に配置された画素を有している。これらの画素の表示は、走査方向（図４ではメイン表示体１０７の長辺方向）の配線（以下「走査線」という）およびこれに直交する方向の配線（以下「データ線」という）を介して供給される信号により制御される。メイン表示制御部１０８は、それぞれ走査線およびデータ線に駆動信号を供給する回路（Ｙドライバ１０８ＹおよびＸドライバ１０８Ｘ）を含む。サブ表示制御部１１０も同様である。このようにこの例では、サブ表示体１０９は、走査方向と平行な辺に沿って配置されている。
【００２３】
メイン表示体１０７とサブ表示体１０９とを密接に配置するため、メイン表示制御部１０８およびサブ表示制御部１１０は、メイン表示体１０７とサブ表示体１０９とが密接している辺（図４の例ではメイン表示体１０７の左辺およびサブ表示体１０９の右辺）以外の辺に沿って設けられる。図４の例では、Ｙドライバ１０８Ｙはメイン表示体１０７の右辺に沿って、Ｙドライバ１１０Ｙはサブ表示体１０９の左辺に沿って設けられている。
【００２４】
２．動作
図５は、情報表示装置１の動作を示すフローチャートである。図５のフローは、例えば、情報表示装置１の動作の制御に用いられるメニュー画面の表示が指示されたことを契機として開始される。情報表示装置１は、自身が記憶している文書のリスト（以下このリストを「文書情報リスト」といい、文書情報リストに含まれる情報を「文書情報」という）を記憶している。
【００２５】
図６は、文書情報リストを例示する図である。文書情報リストは、メイン画像として表示される情報を、複数の要素に区分して記憶したものである。具体的には、文書情報リストは、複数の文書（要素）の各々について、文書のＩＤ（Identification）・文書名・ファイルの格納場所・表示位置・作成者・更新日時などのうち少なくとも一つの属性を含むリストである。図６の例では、リストの一番上の文書は、文書名が「○○○のお知らせ」であり、ファイル格納場所が「a:/folder001/file00.pdf」である。このリストの少なくとも一部が情報表示装置１に表示される。
【００２６】
再び図５を参照して説明する。ステップＳ１０１において、ＣＰＵ１０１は、文書情報リストをソートする。ここでソートは例えば文書名をキーとして行われるが、ソートのキーはこれに限定されるものではない。
【００２７】
ステップＳ１０２において、ＣＰＵ１０１は、ソートされたリストの先頭から順にＩＤを割り当てる。図６の例では、リストの先頭にＩＤ＝１が割り当てられ、以下、リストの下にいくにつれ１つずつ増加するＩＤが割り当てられる。
【００２８】
ステップＳ１０３において、ＣＰＵ１０１は、表示位置ｐｏｓをｐｏｓ＝１として初期化する。表示位置ｐｏｓは、文書情報リストに含まれるデータのうち情報表示装置１に表示されるデータを特定するパラメータである。
【００２９】
ステップＳ１０４において、ＣＰＵ１０１は、文書情報リストに含まれる文書情報のうち情報表示装置１に表示される文書情報を決定する。この決定は、例えばユーザからの指示入力に応じて行われる。表示される文書情報は、ｎ≦ＩＤ≦Ｎの範囲（以下「表示範囲」という）にあるＰ個の文書情報である。いま、ｎ＝３５かつＮ＝４４、すなわち、ＩＤ＝３５〜４４の１０個の文書情報を表示する指示が入力された場合を例に説明する（Ｐ＝１０）。ＣＰＵ１０１は、ＩＤ＝３５、３６、…、４４のデータに対しｐｏｓ＝１、２、…、１０を割り当てる。さらに、ＣＰＵ１０１は、カウンタｉをｉ＝ｎ、この例ではｉ＝３５に初期化する。
【００３０】
ステップＳ１０５において、ＣＰＵ１０１は、ＩＤ＝ｉにより示される文書情報を文書情報リストから取得する。この例では、ＣＰＵ１０１は、まずＩＤ＝３５の、文書名「△△出張報告書」という文書情報を取得する。
【００３１】
ステップＳ１０６において、ＣＰＵ１０１は、取得された文書情報の表示位置を、表示位置ｐｏｓに基づいて計算する。この処理は例えば次のように行われる。メインディスプレイ上において文書情報を表示する領域はあらかじめ決められている。ＣＰＵ１０１は、この領域の縦方向（長辺方向）の長さをＰ等分する。ＣＰＵ１０１は、Ｐ等分された領域の上からｐｏｓ番目の領域を示す座標を、取得された文書情報の表示位置として計算する。ＣＰＵ１０１は、計算した座標をＲＡＭ１０３に記憶する。
【００３２】
ステップＳ１０７において、ＣＰＵ１０１は、ＩＤ＝ｉにより示される文書情報を、先ほど計算された座標に表示するように、メインディスプレイを制御する。
ステップＳ１０８において、ＣＰＵ１０１は、カウンタｉおよび表示位置ｐｏｓを、ｉ＝ｉ＋１およびｐｏｓ＝ｐｏｓ＋１として更新する。
【００３３】
ステップＳ１０９において、ＣＰＵ１０１は、表示範囲内のすべての文書情報について表示が完了したか、すなわちカウンタｉがｉ≧（Ｎ＋１）を満たしたか判断する。ｉ＜（Ｎ＋１）すなわち表示されていない文書情報があると判断された場合（Ｓ１０９：ＮＯ）、ＣＰＵ１０１は、ステップＳ１０５−Ｓ１０９の処理を繰り返し実行する。ｉ≧（Ｎ＋１）すなわちすべての文書情報について表示が完了したと判断された場合（Ｓ１０９：ＹＥＳ）、ＣＰＵ１０１は、処理をステップＳ１１０に移行する。
【００３４】
ステップＳ１１０において、ＣＰＵ１０１は、フォーカス表示される文書情報の表示位置（以下「フォーカス位置」という）を取得する。例えば図６でＩＤ＝３６の「☆☆の設計書」という文書情報がフォーカス表示される場合、この文書情報の表示位置としてｐｏｓ＝２が取得される。「フォーカス表示」とは、複数の文書情報の中から少なくとも１つの文書情報を特定する文字・図形・記号など（以下「特定文字等」という）を表示すること、またはそのとき表示される文字・図形・記号などをいう。フォーカス表示する文書情報は、ユーザのＵＩボタン群１０６の操作入力により特定される。
【００３５】
ステップＳ１１１において、ＣＰＵ１０１は、フォーカス表示位置に基づいて、サブディスプレイにおけるフォーカス表示の表示位置を決定する。
ステップＳ１１２において、ＣＰＵ１０１は、決定された位置にフォーカス表示をするように、サブディスプレイを制御する。
【００３６】
ステップＳ１１３において、ＣＰＵ１０１は、フローの終了条件が満たされたか判断する。終了条件は、例えば、決定ボタンが押されたという条件である。終了条件が満たされたと判断された場合（Ｓ１１３：ＹＥＳ）、ＣＰＵ１０１は、図５のフローを終了する。終了条件が満たされていないと判断された場合（Ｓ１１３：ＮＯ）、ＣＰＵ１０１は、ステップＳ１１０−Ｓ１１２の処理を繰り返し実行する。
【００３７】
図７は、フォーカス表示を例示する図である。この例では、特定文字等として矢印「→」が表示され、図中上から２番目の文書情報がフォーカス表示されている。特定文字等の位置は、ユーザによるＵＩボタン群１０６の操作に応じて変化する。このとき特定文字等の位置は、複数の要素すなわち複数の文書情報のいずれかに対応する位置に決定される。さらにサブディスプレイはメインディスプレイに密接して配置されるので、２つのディスプレイ間での視線移動は上記の構成を有していないものと比較して少なくなり、視覚的連続性はより向上する。
【００３８】
３．変形例
本実施形態は上記の態様に限定されるものではなく、種々の変形実施が可能である。以下、変形例をいくつか説明する。以下において、実施形態と共通する要素について共通の参照符号が用いられる。また、以下の変形例のうち２つ以上のものが組み合わせて用いられてもよい。
【００３９】
３−１．変形例１
図８は、変形例１に係るメインディスプレイおよびサブディスプレイの配置を示す図である。上述の実施形態において、サブディスプレイの長さとメインディスプレイの長さは同じであったが、サブディスプレイの長さとメインディスプレイの長さは異なっていてもよい。ここでディスプレイの「長さ」とはメインディスプレイとサブディスプレイとが接している辺の長さをいう。またここで「メインディスプレイとサブディスプレイとが接している辺」とは、メインディスプレイとサブディスプレイとの間の距離が最も短くなっている辺をいう。また、メインディスプレイとサブディスプレイとが接している辺の端点の位置は、メインディスプレイとサブディスプレイとで一致していなくてもよい。さらに、メインディスプレイとサブディスプレイとが接している辺は平行でなくてもよい。
【００４０】
３−２．変形例２
図９は、変形例２に係るメインディスプレイおよびサブディスプレイの配置を示す図である。上述の実施形態において情報表示装置は単一のサブディスプレイを有していたが、情報表示装置は複数のサブディスプレイを有してもよい。この場合、複数のサブディスプレイの各々について実施形態で説明した処理が行われる。
【００４１】
３−３．変形例３
図１０は、変形例３に係る情報表示装置２の外観を示す図である。情報表示装置２の機能構成およびハードウェア構成は図１および図２に示されるものと共通である。本実施形態において、サブ表示体１０９は透明ディスプレイ、すなわち、画像を表示していない状態において光を透過する透過型の表示体である。ここで「透明」とは光の透過率があるしきい値以上であることをいう。サブ表示体１０９は、メイン表示体１０７よりも面積が小さく、かつ、表示面に対して垂直方向から見たときにサブ表示体１０９の全体がメイン表示体１０７に重なるように配置されている。なおサブ表示体１０９は、メイン表示体１０７よりも面積が大きくてもよい。
【００４２】
図１１は、メイン表示体１０７とサブ表示体１０９との位置関係を説明する図である。メイン表示制御部１０８とサブ表示制御部１１０とは、互いに重ならない位置に配置されている。
【００４３】
図１２は、変形例３におけるフォーカス表示を例示する図である。情報表示装置２の動作は図５に示されるものと基本的に共通である。この例でフォーカス表示は、楕円の図形である。フォーカス表示は文書情報に重ねて表示されるので、２つのディスプレイ間での視線移動はこの構成を有していないものと比較して少なくなり、視覚的連続性はより向上する。
【００４４】
図１３は、変形例３におけるフォーカス表示の別の例を示す図である。この例で、メインディスプレイには新聞記事の見出しが表示されている。一つの見出しが一つの文書情報として表示される。この例では「社会」の項目の上から２番目の見出しがフォーカス表示されている。この例で、サブディスプレイにはフォーカス表示に加えてメニューが表示されている。メニューは、通常知られているコンピュータシステムで用いられるものと同様である。メニューは、例えば、フォーカス表示がされた後でユーザがＵＩボタン群１０６に対して特定の操作を行うことにより表示される。メニューの表示位置は、フォーカス表示との相対位置があらかじめ決められた位置関係となる位置である。
【００４５】
図１４は、変形例３におけるメイン表示体１０７とサブ表示体１０９の位置関係の別の例を示す図である。この例では、サブ表示体１０９の一部がメイン表示体１０７に重なり、サブ表示体１０９の他の部分がメイン表示体１０７に重ならないように設けられている。
【００４６】
図１５は、変形例３におけるメイン表示体１０７とサブ表示体１０９の位置関係のさらに別の例を示す図である。この例では、サブ表示体１０９が、メイン表示体１０７の周縁の少なくとも一部（この例では左辺）に沿って設けられている。またこの例では、サブ表示体１０９の形状、特に四角形の縦横比がメイン表示体１０７と異なっている。サブ表示体１０９はメイン表示体１０７の一部（この例では左部分）と重なっている。
【００４７】
３−４．変形例４
メインディスプレイおよびサブディスプレイの形状は、四角形でなくてもよい。多角形・楕円形・これらの組み合わせなど、どのような形状でもよい。
【００４８】
３−５．他の変形例
文書情報リストは、上述の実施形態で説明したものに限定されない。文書情報リストは、情報表示装置１に記憶されている文書に関する情報だけではなく、ネットワーク上のサーバ等、他の装置に記憶されている文書に関する情報を含んでもよい。また、文書情報リストにおいて表示範囲を決定する方法は、ユーザの指示入力によるものに限定されない。前回表示した範囲を情報表示装置１が記憶しておき、記憶された範囲を表示範囲としてもよい。あるいは、表示範囲は、あらかじめ決められたアルゴリズムにより自動的に決定されてもよい。
【００４９】
情報表示装置１の動作は図５のフローに示されるものに限定されない。文書情報リストのソート処理（ステップＳ１０１）は省略されてもよい。また図５のフローでは文書情報のリストを表示する際には文書情報を１つずつ順番に表示、すなわちメインディスプレイに表示される画像を表示する際には要素を１つずつ順番に表示した（ステップＳ１０５−Ｓ１０９）。しかし、まず先に表示範囲にあるすべての文書情報を特定し、その後ですべての文書情報をまとめてメインディスプレイに表示してもよい。
【００５０】
メイン画像を示す画像データ（以下「メイン画像データ」という）は、複数の要素（文書情報）に区分して記憶されていなくてもよい。メイン画像データは、例えば図７に示されるリストのように１ページの画像であってもよい。この場合、補助記憶装置１１５は、画像に含まれる要素（例えば、各文書情報）の位置を示すデータを記憶している。ＣＰＵ１０１は、このデータに基づいてフォーカス表示の位置を決定する。あるいは、メイン画像データ自体が、メインディスプレイ上において表示される位置を示すデータを含んでもよい。この場合、ＣＰＵ１０１は、メイン画像データに基づいてフォーカス表示の位置を決定する。
【００５１】
サブ表示体１０９は、記憶性表示体を用いたものでもよい。要はメイン表示体１０７よりも書き換え速度が速いものであればどのような表示体が用いられてもよい。
【００５２】
情報表示装置が記憶および実行するプログラムは、磁気テープ、磁気ディスク、フレキシブルディスク、光記録媒体、光磁気記録媒体、ＣＤ（Compact Disk）、ＤＶＤ（Digital Versatile Disk）、フラッシュＲＯＭなどの記録媒体に記録した状態で提供されてもよい。
【図面の簡単な説明】
【００５３】
【図１】一実施形態に係る情報表示装置１の機能構成を示す図である。
【図２】情報表示装置１のハードウェア構成を示す図である。
【図３】情報表示装置１の外観を示す図である。
【図４】メイン表示体１０７とサブ表示体１０９との位置関係を説明する図である。
【図５】情報表示装置１の動作を示すフローチャートである。
【図６】文書情報リストを例示する図である。
【図７】フォーカス表示を例示する図である。
【図８】変形例１に係るメイン表示体１０７およびサブ表示体１０９の配置を示す。
【図９】変形例２に係るメインディスプレイおよびサブディスプレイの配置を示す。
【図１０】変形例３に係る情報表示装置２の外観を示す図である。
【図１１】メイン表示体１０７とサブ表示体１０９との位置関係を説明する図である。
【図１２】変形例３におけるフォーカス表示を例示する図である。
【図１３】変形例３におけるフォーカス表示の別の例を示す図である。
【図１４】メイン表示体１０７およびサブ表示体１０９の位置関係の別の例を示す。
【図１５】メイン表示体１０７およびサブ表示体１０９の位置関係の別の例を示す。
【符号の説明】
【００５４】
１…情報表示装置、２…情報表示装置、１１…メイン表示体、１２…メイン画像記憶部、１３…メイン表示制御部、１４…サブ表示体、１５…サブ画像記憶部、１６…サブ表示制御部、１７…位置決定部、１０１…ＣＰＵ、１０２…ＲＯＭ、１０３…ＲＡＭ、１０４…ＶＲＡＭ、１０５…Ｉ／Ｏ、１０６…ＵＩボタン群、１０７…メイン表示体、１０８…メイン表示制御部、１０９…サブ表示体、１１０…サブ表示制御部、１１１…電源オン・オフ回路、１１２…電源制御部、１１３…電池、１１４…バス、１１５…補助記憶装置
【図１】
2009110101.tif 000003
【図２】
2009110101.tif 000004
【図３】
2009110101.tif 000005
【図４】
2009110101.tif 000006
【図５】
2009110101.tif 000007
【図６】
2009110101.tif 000008
【図７】
2009110101.tif 000009
【図８】
2009110101.tif 000010
【図９】
2009110101.tif 000011
【図１０】
2009110101.tif 000012
【図１１】
2009110101.tif 000013
【図１２】
2009110101.tif 000014
【図１３】
2009110101.tif 000015
【図１４】
2009110101.tif 000016
【図１５】
2009110101.tif 000017